【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
患者の睡眠時呼吸障害を治療するための患者インタフェースであって、
加圧されたガスを受け取るための円形開口を有するフレームと、
前記フレームに取り外せないように一体成型されて、呼吸用チャンバを確定するクッションと、
エルボーアセンブリがしっかりと前記フレームに取り付けられたことを知らせるカチッという音をともない前記フレームに取り外し可能にスナップフィットする一対の直径方向に対向するスナップフィット接続部と、回転エルボーとを有するエルボーアセンブリと、
前記患者の頭部上で前記患者インタフェースを支持するヘッドギアと、
前記呼吸用チャンバからＣＯ２を逃がすことを可能にする複数のガス流出穴と
を備える、患者インタフェース。
【請求項２】
患者の睡眠時呼吸障害を治療するための患者インタフェースであって、
加圧されたガスを受け取るための円形開口を有するフレームと、
前記加圧されたガスを受け取るための呼吸用チャンバを確定するクッションと、
前記円形開口に少なくとも部分的に挿入されるフレーム係合端部を有し、エルボーアセンブリがしっかりと前記フレームに取り付けられたことを知らせるカチッという音をともない前記フレームに取り外し可能にスナップフィットする一対の直径方向に対向するスナップフィット接続部と、回転エルボーとを有するエルボーアセンブリと、
前記患者の頭部上で前記患者インタフェースを支持するヘッドギアと、
前記呼吸用チャンバからＣＯ２を逃がすことを可能にする複数のガス流出穴と
を備える、患者インタフェース。
【請求項３】
前記フレームは、前記円形開口を取り囲み、前記フレームの正面から突出した環状部分を有し、
前記エルボーアセンブリは、前記環状部分とスナップフィットする、請求項１または２に記載の患者インタフェース。
【請求項４】
前記環状部分は、末端フランジを有し、
前記スナップフィット接続部は、前記末端フランジの外側リムの周りと係合する、請求項３に記載の患者インタフェース。
【請求項５】
前記エルボーアセンブリは、空気供給チューブに接続するように適合された旋回装置を有する、請求項１から４の何れか一項に記載の患者インタフェース。
【請求項６】
前記ヘッドギアは、複数のストラップと、前記複数のストラップの２つの遠位末端と結合される一対のクリップとを有し、
前記一対のクリップは、前記患者インタフェースのヘッドギア取り付けポイントに取り外し可能に取り付けられる、請求項１から５の何れか一項に記載の患者インタフェース。
【請求項７】
前記複数のストラップは、前記患者の耳の下を通る複数の下側ストラップと、前記患者の頬とこめかみに沿って伸びる複数の上側ストラップとを有する、請求項６に記載の患者インタフェース。
【請求項８】
前記一対のクリップは、磁石クリップである、請求項６または７に記載の患者インタフェース。
【請求項９】
前記スナップフィット接続部は、前記スナップフィット接続部が前記フレームと係合および係合解除すると、前記円形開口に対して半径方向に弾性的に曲がるように搭載される、請求項１から８の何れか一項に記載の患者インタフェース。
【請求項１０】
前記スナップフィット接続部は、前記エルボーアセンブリが前記フレームに最初に係合したときに、前記円形開口に対して半径方向外側に移動し、次に、前記エルボーアセンブリが押されて前記フレームとさらに係合したときに、半径方向内側に移動する、請求項１から９の何れか一項に記載の患者インタフェース。
【請求項１１】
前記エルボーアセンブリは、直径方向に対向し、互いに向かって弾性的に移動可能である一対の指押下可能リリース部を有し、
前記フレームから前記エルボーアセンブリを取り外すために、前記スナップフィット接続部を前記フレームから取り外すべく、前記一対の指押下可能リリース部は他方に向かって押下される、請求項１から１０の何れか一項に記載の患者インタフェース。
【請求項１２】
前記一対の指押下可能リリース部は、前記一対の指押下可能リリース部を配置するのに役立つ加工部分を有する、請求項１１に記載の患者インタフェース。
【請求項１３】
前記エルボーアセンブリが押されて前記フレームに最初に係合したときに、前記スナップフィット接続部のそれぞれは、前記フレームの前記円形開口に結合されるフランジに対して半径方向に曲げさせられる傾斜部を有し、
前記傾斜部が前記フランジを乗り越えた後に前記エルボーアセンブリと前記フレームとが互いに押されてさらなる係合をすると、前記スナップフィット接続部は曲がっていない状態へと戻り、これにより前記エルボーアセンブリは前記フレームに対して固定される、請求項１から１２の何れか一項に記載の患者インタフェース。
【請求項１４】
前記フレームの前記円形開口の内側表面は、前記エルボーアセンブリの外側表面に密閉状態で係合する、請求項１から１３の何れか一項に記載の患者インタフェース。
【請求項１５】
前記エルボーアセンブリと前記フレームとの間では密閉が実現される、請求項１から１４の何れか一項に記載の患者インタフェース。
【請求項１６】
前記フレームの前記円形開口への前記エルボーアセンブリの挿入深さを制限するためのストップをさらに備える、請求項１から１５の何れか一項に記載の患者インタフェース。
【請求項１７】
前記回転エルボーは、前記フレームに直接取り付けられ且つ係合する、請求項１から１６の何れか一項に記載の患者インタフェース。
【請求項１８】
額支持部をさらに備える、請求項１から１７の何れか一項に記載の患者インタフェース。
【請求項１９】
額支持部を備えない、請求項１から１７の何れか一項に記載の患者インタフェース。
【請求項２０】
前記患者インタフェースは額支持部を備え、
前記フレームは、前記円形開口を取り囲み、前記フレームの正面から突出した環状部分を有し、
前記エルボーアセンブリは、前記環状部分とスナップフィットし、
前記エルボーアセンブリは、空気供給チューブに接続するように適合された旋回装置を有し、
前記スナップフィット接続部は、前記スナップフィット接続部が前記フレームと係合すると、前記環状部分に対して半径方向に弾性的に曲がるように搭載され、
前記ヘッドギアは、一対の上側ストラップと一対の下側ストラップとを有し、前記一対の下側ストラップはクリップをそれぞれ有する端部を有し、それぞれのクリップは、前記患者インタフェースのヘッドギア取り付けポイントに取り外し可能に取り付けられ、前記一対の下側ストラップは、前記患者の耳の下を通り、
前記スナップフィット接続部は、前記スナップフィット接続部が前記フレームと係合および係合解除すると、前記円形開口に対して半径方向に弾性的に曲がるように搭載される、請求項１または２に記載の患者インタフェース。
【請求項２１】
前記患者の眼の下であって前記患者の頬の少なくとも一部を横切る湾曲した弧に沿って前記フレームから伸びる一対の硬い安定化部材をさらに備える、請求項１から２０の何れか一項に記載の患者インタフェース。
【請求項２２】
前記安定化部材は、前記患者の顔に向かい遠ざかる面における動きに対して柔軟であり、一方で、安定性を高めるために直交面においてはより硬い、請求項２１に記載の患者インタフェース。
【請求項２３】
前記安定化部材のそれぞれは、前記ヘッドギアの背面ストラップに接続するための端部コネクタを有する、請求項２１または２２に記載の患者インタフェース。
【請求項２４】
前記安定化部材のそれぞれは、前記患者と前記安定化部材との間に位置する比較的柔らかい材料を有する、請求項２１から２３の何れか一項に記載の患者インタフェース。
【手続補正２】
【補正対象書類名】明細書
【補正対象項目名】０００３
【補正方法】変更
【補正の内容】
【０００３】
OSAの治療のためのnCPAPの応用は、サリバンによって米国特許第4,944,310号において教示されている。この米国特許をここに完全に援用する。OSAのｎCPAP治療では、加圧された空気あるいは他の呼吸可能なガスを大気圧よりも上に上げた圧力、典型的には４〜２０ｃｍＨ２Ｏで患者の気道入口に供給して、患者の上側の気道を押し開いて無呼吸を防ぐ。